(57)【要約】【課題】印刷画像サイズがラベルサイズよりも大きな場合であっても、印刷画像を欠くことなくラベルに印刷する。【解決手段】ラベル印刷装置１は、ラベルのサイズを設定する設定手段としての操作パネル１０や媒体センサ４０と、設定されたラベルサイズよりも入力画像が大きいとき、入力画像を複数に分割する画像分割手段としての画像データ分割処理部１３０と、画像分割手段が分割した複数の分割画像を、複数のラベルに順次画像印刷する印刷手段としての印字ヘッド７０と、を備え、ラベルは、１枚のラベル用紙の台紙の全面に貼付されたものであり、印字ヘッド７０は、複数のラベル用紙に分割画像を順次印刷すると共に、全ての分割画像を印刷する複数のラベル用紙の前後何れか一方又は双方のラベル用紙に分割画像の順番、及び位置を示す画像を印刷する。【選択図】図１
2013129103.tif 000002
【特許請求の範囲】
【請求項１】
ラベルのサイズを設定する設定手段と、
前記設定されたラベルサイズよりも入力画像が大きいとき、前記入力画像を複数に分割する画像分割手段と、
前記画像分割手段が分割した複数の分割画像を、複数の前記ラベルに順次画像印刷する印刷手段と、
を備え、
前記ラベルは、１枚のラベル用紙の台紙の全面に貼付されたものであり、
前記印刷手段は、複数の前記ラベル用紙に前記分割画像を順次印刷すると共に、全ての分割画像を印刷する複数のラベル用紙の前後何れか一方又は双方のラベル用紙に前記分割画像の順番、及び位置を示す画像を印刷する、
ことを特徴とするラベル印刷装置。
【請求項２】
前記ラベルは、複数枚が１列に台紙に貼付されたものであり、
前記印刷手段は、前記分割画像を各ラベルに順次印刷することを特徴とする請求項１に記載のラベル印刷装置。
【請求項３】
前記ラベルは、角部が切除されたラベルであり、
前記ラベルサイズは、前記角部を除いた長方形部分のサイズであり、
前記印刷手段は、前記分割画像を各ラベルに印刷すると共に、前記分割画像の順番を示す符号を前記長方形部分以外の部分に印刷することを特徴とする請求項２に記載のラベル印刷装置。
【請求項４】
前記分割画像の順番、及び位置を示す画像は、表形式の画像で構成されることを特徴とする請求項１ないし請求項３のいずれか１項に記載のラベル印刷装置。
【請求項５】
前記設定手段は、光透過型センサとして構成され、前記ラベルの透過率と前記台紙の透過率との違いによりラベルサイズを検出することを特徴とする請求項１ないし請求項４のいずれか１項に記載のラベル印刷装置。
【請求項６】
全ての分割画像が印刷された複数のラベルと、前記全ての分割画像の順番及び位置を示す画像が印刷されたラベルとをひとまとまりとして切り離すラベル切離し手段をさらに備えることを特徴とする請求項１ないし請求項５のいずれか１項に記載のラベル印刷装置。
【請求項７】
ラベルに画像印刷するラベル印刷装置と通信可能に接続される演算装置の制御部に実行させるラベル印刷プログラムであって、
ラベルのサイズを設定する設定手段と、
前記設定されたラベルサイズよりも入力画像が大きいとき、前記入力画像を複数に分割する画像分割手段と、
前記画像分割手段が分割した複数の分割画像を、複数の前記ラベルに順次画像印刷することを指示する印刷指示手段と、
を実現し、
前記ラベルは、１枚のラベル用紙の台紙の全面に貼付されたものであり、
前記印刷指示手段は、複数の前記ラベル用紙に前記分割画像を順次印刷すると共に、全ての分割画像を印刷する複数のラベル用紙の前後何れか一方又は双方のラベル用紙に前記分割画像の順番、及び位置を示す画像を印刷させる、
ことを特徴とするラベル印刷プログラム。
【発明の詳細な説明】
【技術分野】
【０００１】
本発明は、ラベル印刷装置、及びラベル印刷プログラムに関する。
【背景技術】
【０００２】
印刷装置は、印刷媒体として、一般的に、普通紙やロール紙が使用されるが、台紙に貼付された複数のラベルが使用されることがある。以下では、台紙にラベルが貼付された物をラベル用紙と呼ぶ場合がある。
特許文献１には、ラインを流れる物品に順次ラベルを貼付していくラベル供給装置が開示されている。この特許文献には、共通の印刷項目と個々の物品を区別する一貫番号のような個別印刷項目とをラベルに印刷する旨が記載されている。
【先行技術文献】
【特許文献】
【０００３】
【特許文献１】特開平６−９２３３６号公報（段落０００２）
【発明の概要】
【発明が解決しようとする課題】
【０００４】
しかしながら、特許文献に記載されたラベル供給装置は、複数のラベルを一列に配列したロール状のラベル用紙を用いて、各々のラベルに所定項目を印刷することを前提にしている。
印刷画像サイズがラベルサイズよりも大きな場合は、特許文献に記載されたラベル供給装置は、印刷画像がラベルからはみ出してしまう問題点がある。
【０００５】
そこで、本発明は、印刷画像サイズがラベルサイズよりも大きな場合であっても、印刷画像を欠くことなくラベルに印刷することができるラベル印刷装置、及びラベル印刷プログラムを提供することを目的とする。
【課題を解決するための手段】
【０００６】
前記課題を解決するため、本発明に係るラベル印刷装置は、ラベルのサイズを設定する設定手段と、前記設定されたラベルサイズよりも入力画像が大きいとき、前記入力画像を複数に分割する画像分割手段と、前記画像分割手段が分割した複数の分割画像を、複数の前記ラベルに順次画像印刷する印刷手段と、を備え、前記ラベルは、１枚のラベル用紙の台紙の全面に貼付されたものであり、前記印刷手段は、複数の前記ラベル用紙に前記分割画像を順次印刷すると共に、全ての分割画像を印刷する複数のラベル用紙の前後何れか一方又は双方のラベル用紙に前記分割画像の順番、及び位置を示す画像を印刷する、ことを特徴とする。
なお、設定手段は、ラベルの位置も設定することが好ましい。
【０００７】
また、本発明に係るラベル印刷プログラムは、ラベルに画像印刷するラベル印刷装置と通信可能に接続される演算装置の制御部に実行させるラベル印刷プログラムであって、ラベルのサイズを設定する設定手段と、前記設定されたラベルサイズよりも入力画像が大きいとき、前記入力画像を複数に分割する画像分割手段と、前記画像分割手段が分割した複数の分割画像を、複数の前記ラベルに順次画像印刷することを指示する印刷指示手段と、を実現し、前記ラベルは、１枚のラベル用紙の台紙の全面に貼付されたものであり、前記印刷指示手段は、複数の前記ラベル用紙に前記分割画像を順次印刷すると共に、全ての分割画像を印刷する複数のラベル用紙の前後何れか一方又は双方のラベル用紙に前記分割画像の順番、及び位置を示す画像を印刷させる、ことを特徴とする。
【発明の効果】
【０００８】
本発明によれば、印刷画像サイズがラベルサイズよりも大きな場合であっても、印刷画像を欠くことなくラベルに印刷することができる。
【図面の簡単な説明】
【０００９】
【図１】第１実施形態に係るラベル印刷装置の概略構成図である。
【図２】第１実施形態に係るラベル印刷装置で用いる印刷媒体を説明するための図である。（ａ）は印刷媒体の上面図であり、（ｂ）は印刷媒体の側面図である。
【図３】第１実施形態に係るラベル印刷装置のデータ記憶部、及び主制御部のブロック図である。
【図４】第１実施形態に係るラベル印刷装置の画像データ分割処理部を説明するための図（その１）である。
【図５】第１実施形態に係るラベル印刷装置の画像データ分割処理部を説明するための図（その２）である。
【図６】第１実施形態に係るラベル印刷装置の印刷結果を説明するための図である。
【図７】比較例として、従来のラベル印刷装置が印刷媒体に画像データを印刷する処理を説明するための図である。
【図８Ａ】第１実施形態に係るラベル印刷装置の印刷動作を説明するためのフローチャートの例示（その１）である。
【図８Ｂ】第１実施形態に係るラベル印刷装置の印刷動作を説明するためのフローチャートの例示（その２）である。
【図９】第２実施形態に係るラベル印刷装置の概要を説明するための図である。
【図１０】第２実施形態に係るラベル印刷装置の概略構成図である。
【図１１】第２実施形態に係るラベル印刷装置で用いる印刷媒体を説明するための図である。（ａ）は印刷媒体の上面図であり、（ｂ）は印刷媒体の側面図である。
【図１２】第２実施形態に係るラベル印刷装置のデータ記憶部、及び主制御部のブロック図である。
【図１３】第２実施形態に係るラベル印刷装置の画像データ分割処理部を説明するための図（その１）である。
【図１４】第２実施形態に係るラベル印刷装置の画像データ分割処理部を説明するための図（その２）である。
【図１５】第２実施形態に係るラベル印刷装置の印刷結果を説明するための図である。
【図１６Ａ】第２実施形態に係るラベル印刷装置の印刷動作を説明するためのフローチャートの例示（その１）である。
【図１６Ｂ】第２実施形態に係るラベル印刷装置の印刷動作を説明するためのフローチャートの例示（その２）である。
【図１７】第１実施形態や第２実施形態の変形例を説明するための図（その１）である。（ａ）は印刷開始時における印刷媒体の上面図であり、（ｂ）は印刷終了時における印刷媒体の上面図であり、（ｃ）は角丸のカット時における印刷媒体の上面図であり、（ｄ）は次の印刷媒体の印刷開始時における印刷媒体の上面図である。
【図１８】第１実施形態や第２実施形態の変形例を説明するための図（その２）である。（ａ）及び（ｂ）は印刷媒体の上面図である。
【図１９】第１実施形態や第２実施形態の変形例を説明するための図（その３）である。（ａ）は印刷媒体の上面図であり、（ｂ）は印刷媒体の側面図である。
【発明を実施するための形態】
【００１０】
以下、図面を参照して、本発明の実施形態につき詳細に説明する。
なお、各図は、本発明を十分に理解できる程度に、概略的に示してあるに過ぎない。よって、本発明は、図示例のみに限定されるものではない。また、各図において、共通する構成要素や同様な構成要素については、同一の符号を付し、それらの重複する説明を省略する。
【００１１】
[第１実施形態]
≪第１実施形態に係るラベル印刷装置の構成≫
図１は、第１実施形態に係るラベル印刷装置の概略構成図である。以下、図１を参照して、第１実施形態に係るラベル印刷装置１の構成について説明する。
ラベル印刷装置１は、操作パネル部１０と、媒体格納部２０と、媒体搬送モータ３０と、媒体センサ４０と、検出回路部５０と、データ受信部６０と、印字ヘッド７０と、カッタ８０と、データ記憶部９０と、制御部１００とで構成される。以下、各構成について説明する。
【００１２】
＜操作パネル部＞
設定手段としての操作パネル部１０は、入力部としての操作キーと、出力部としてのＬＣＤ表示パネルやＬＥＤランプとで構成される。
入力部としての操作キーは、ラベル印刷装置１の動作モード情報Ｓ(図３参照)、媒体としてのラベルのサイズ(媒体長Ｌや媒体幅Ｗ(図３参照))や、ラベル用紙に対するラベルの位置などをセットアップしたりするために使用される。出力部としてのＬＣＤ表示パネルやＬＥＤランプは、ラベル印刷装置１の操作状況を文字として表示し、又はランプの点滅として出力する。なお、媒体のサイズ(媒体長Ｌや媒体幅Ｗ(図３参照))や位置は、媒体センサ４０で読み取り、自動的にセットアップするようにしてもよい。
【００１３】
＜媒体格納部＞
媒体格納部２０は、ラベル印刷装置１が印刷(印字を含む)を行う印刷媒体が格納される。ここで、図２を参照して、第１実施形態に係るラベル印刷装置１が印刷を行う印刷媒体としてのラベルＰｉについて説明する。図２は、非連続紙(印刷媒体が印刷媒体搬送方向側で区切られている媒体)として構成されるラベルＰｉを説明するための図である。なお、ラベルＰｉは、連続紙(印刷媒体が印刷媒体搬送方向側で区切られていない媒体)として構成することも可能である。詳細は変形例として後述する。
【００１４】
印刷媒体としてのラベルＰｉ(「ｉ」はラベルを識別する番号(例えば、ｉ＝０，１，２・・である)は、ラベルＰｉと透過率が異なる(例えば、半透光性)台紙２１に印刷媒体搬送方向に対して間隔Ｍ(以下、「ラベル間隔Ｍ」)で貼付されている。以下では、ラベルＰｉの搬送方向に対するラベルＰｉの寸法を長さＬ(以下、「媒体長Ｌ」)とし、搬送方向に対して垂直方向の寸法を幅Ｗ(以下、「媒体幅Ｗ」)とする。また、ラベルＰｉが台紙２１に貼付され、ロール状に巻回されたものをロール紙２２と呼ぶ。印刷媒体としてのラベルＰｉは、ロール紙２２の状態で媒体格納部２０に格納される。なお、本実施形態では、１つのロール紙２２に貼付された全てのラベルＰｉのサイズ(媒体長Ｌや媒体幅Ｗ)は、同じである。
【００１５】
＜媒体搬送モータ＞
媒体搬送モータ３０は、回転駆動力を発生する装置であり、図示しないローラを介して発生した回転駆動力をロール紙２２に伝達する。それにより、媒体搬送モータ３０は、媒体格納部２０に格納される印刷媒体としてのラベルＰｉを台紙２１に貼付された状態で印刷媒体搬送方向(以下では、省略して「搬送方向」と呼ぶ場合がある)に搬送する。媒体搬送モータ３０は、後記する機構制御部１４０により制御され、ラベルＰｉを所定速度で搬送する。
【００１６】
＜媒体センサ＞
設定手段としての媒体センサ４０は、光の透過率を検出するセンサ(光透過型センサ)として構成され、ラベルＰｉと台紙２１との透過率の違いからラベルＰｉの位置を検知する。また、ラベルＰｉが貼付された台紙２１の裏側にマーク(例えば、搬送方向に対して垂直方向の直線)が印字されている場合に、媒体センサ４０は、そのマークを検出するセンサとして構成され、マークを検知することでラベルＰｉの位置を検出するようにしてもよい。
【００１７】
媒体センサ４０は、それ以外にも、複数の光透過型センサ、及びライン状の照明装置を備える構成(例えば、横一列に光透過型センサを配設したラインセンサ)にすることで、ラベルＰｉの位置・長さのみならず幅を検出することが可能である。また、ラベルＰｉのサイズが段階的に規定されていて、台紙２１等にラベルＰｉのサイズを識別する情報(バーコード等)を付設すれば、媒体センサ４０は、そのラベルＰｉのサイズを識別する情報を読み取る手段(バーコードリーダ)を有する構成としてもよい。また、ラベルＰｉのサイズを記憶手段(ＲＦＩＤタグ等)に記憶させるとともに、ロール紙２２の所定の位置に装着すれば、媒体センサ４０は、その記憶手段からラベルＰｉのサイズの情報を読み取る手段(ＲＦＩＤリーダ)を有する構成としてもよい。
なお、媒体センサ４０を配設する場所は、限定されない。例えば、印字ヘッド７０の手前や、媒体格納部２０内に配設することができる。
【００１８】
＜検出回路部＞
検出回路部５０は、媒体センサ４０が検知したラベルＰｉの位置情報等を、電気信号として主制御部１２０に送信する。後記する主制御部１２０では、検出回路部５０から受信した電気信号から、媒体長Ｌ、媒体幅Ｗ、ラベル間隔Ｍ等を算出する。そして、算出された媒体長Ｌや媒体幅Ｗは、データ記憶部９０に格納される。なお、ラベルＰｉのサイズは、あらかじめデータ記憶部９０に記憶されているようにしてもよいし、また、媒体のサイズ(媒体長Ｌや媒体幅Ｗ)は、操作パネル部１０を介してラベル印刷装置１の操作者により手動で入力され、セットアップされるようにしてもよい。なお、媒体センサ４０、及び検出回路部５０は、ラベルサイズを設定する設定手段として機能する。
【００１９】
＜データ受信部＞
データ受信部６０は、ＬＡＮ(Local Area Network)等を介して、上位装置２に接続される。データ受信部６０は、上位装置２(例えば、ＰＣ(Personal Computer))からラベル印刷装置１の制御データや印刷ジョブデータを受信する。印刷ジョブデータは、印刷画像及び印刷サイズのデータから構成される。データ受信部６０は、受信した制御データや印刷ジョブデータを制御部１００の主制御部１２０に対して送信する。
【００２０】
＜印字ヘッド＞
印刷手段としての印字ヘッド(画像形成部)７０は、データ受信部６０が受信したジョブデータを印刷媒体としてのラベルＰｉに印刷する。印字ヘッド(画像形成部)７０は、露光装置、現像装置、転写装置、定着装置等で構成される。印字ヘッド(画像形成部)７０は、後記する機構制御部１４０により制御される。詳細な処理については、後記する機構制御部１４０で説明する。
【００２１】
＜カッタ＞
カッタ８０は、画像が印刷されたラベルＰｉが台紙２１に貼付された状態で、台紙２１の一部をロール紙２２から切り離す。カッタ８０は、後記する機構制御部１４０により制御される。詳細な処理については、後記する機構制御部１４０で説明する。
【００２２】
＜データ記憶部＞
データ記憶部９０は、ラベル印刷装置１の種々のセットアップ情報が格納される不揮発性メモリや、印刷するデータをイメージバッファに展開するためのバッファメモリとして構成される。以下では、図３を参照し、データ記憶部９０が格納する情報について説明する。図３は、データ記憶部９０及び主制御部１２０のブロック図である。
【００２３】
データ記憶部９０には、動作モード情報Ｓと、媒体長Ｌと、媒体幅Ｗと、画像データＤと、分割画像データＤｊｋと、画像位置データＦとが格納される。なお、ラベル印刷装置１をプログラム実行処理により実現する場合、データ記憶部９０には、このラベル印刷装置１の後記する制御部１００の機能を実現するためのプログラム等も格納される。
【００２４】
（動作モード情報）
動作モード情報Ｓは、操作パネル部１０を用いて入力され、ラベル印刷装置１のカッタ８０の動作を規定する動作モードに関する情報である。例えば、動作モード情報Ｓは、画像データＤが分割画像データＤｊｋとして複数のラベルＰｉに印刷された場合に、画像データＤを表す複数の分割画像データＤｊｋ単位でラベルＰｉの切り離しを行うのか、それとも、分割画像データＤｊｋ単位でラベルＰｉの切り離しを行うのかを表す。本実施形態では、動作モード情報Ｓが、画像データＤを表す複数の分割画像データＤｊｋ単位でラベルＰｉの切り離しを行うことを表すものとする。なお、動作モード情報Ｓは、データ記憶部９０を構成するフラッシュメモリ等の不揮発性メモリに格納される。
【００２５】
（媒体長、媒体幅）
媒体長Ｌは、前記した通り、ラベル印刷装置１で用いる印刷媒体としてのラベルＰｉの印刷媒体搬送方向の長さである。媒体長Ｌは、操作パネル１０を介して入力される情報や、媒体センサ４０で検出したラベルＰｉの情報を基にして算出される。
媒体幅Ｗは、前記した通り、ラベル印刷装置１で用いる印刷媒体としてのラベルＰｉの搬送方向に対して垂直方向の幅である。媒体幅Ｗは、操作パネル１０を介して入力される情報や、媒体センサ４０で検出したラベルＰｉの情報を基にして算出される。
【００２６】
（(印刷)画像データ）
印刷画像データＤ(以下では、省略して「画像データＤ」と呼ぶ場合がある。画像データＤは、印字データを含む)は、データ受信部６０で受信した印刷ジョブデータを印刷(印字を含む)するために後記する制御部１００で解釈し、イメージ化(ドットパターン化)したデータである。そのため、画像データＤは、ドットを２次元配列したデータとして構成される。以下では、画像データＤの搬送方向に対する寸法を長さＸ(以下、「画像データ長Ｘ」と呼ぶ場合がある)とし、搬送方向に対して垂直方向の寸法を幅Ｙ(以下、「画像データ幅Ｙ」)とする。すなわち、画像データＤは、（Ｘ×Ｙ×解像度）の画素数を有する。なお、印刷ジョブデータは、文字データや画像データから構成されるが、印刷サイズを指定する印刷サイズデータを含む。
【００２７】
（分割画像データ）
分割画像データＤｊｋは、画像データＤのサイズ(画像データ長Ｘや画像データ幅Ｙ)が印刷媒体としてのラベルＰｉのサイズ(媒体長Ｌや媒体幅Ｗ)よりも大きい場合に、画像データＤをラベルＰｉのサイズ(媒体長Ｌや媒体幅Ｗ)に合わせて分割されたデータである。
ここで、「画像データＤをラベルＰｉのサイズに合わせて分割する」とは、画像データ長Ｘに配列されたドット数を媒体長Ｌに印刷可能な画素数で減算や除算することによる画像データＤの分割や、画像データ幅Ｙに配列されたドット数を媒体幅Ｗに印刷可能な画素数で減算や除算することによる画像データＤの分割をいう。
【００２８】
分割画像データＤｊｋの「ｊ」は、媒体長Ｌにより分割された場合の分割数を識別する識別情報であり、本実施形態では「Ａ」，「Ｂ」，・・・等の英字で表す。一方、分割画像データＤｊｋの「ｋ」は、媒体幅Ｗにより分割された場合の分割数を識別する識別情報であり、本実施形態では「１」，「２」，・・・等の数字で表す。以下では、「ｊｋ」を画像位置座標と呼ぶ場合がある。
【００２９】
例えば、画像データＤを、媒体長Ｌにより２分割し、媒体幅Ｗにより分割しなかった場合は、データ記憶部９０に分割画像データＤＡ，ＤＢが格納される。また、画像データＤを、媒体長Ｌにより分割せず、媒体幅Ｗにより２分割した場合は、データ記憶部９０に分割画像データＤ１，Ｄ２が格納される。また、画像データＤを、媒体長Ｌにより２分割し、さらに媒体幅Ｗにより２分割した場合は、データ記憶部９０に分割画像データＤＡ１，ＤＢ１，ＤＡ２，ＤＢ２が格納される。なお、画像データＤの分割は、後記する画像データ分割処理部１３０により行われる。詳細は後述する。
【００３０】
（画像位置データ）
画像位置データＦは、画像データＤが複数の分割画像データＤｊｋに分割された場合に、各々のラベルＰｉに印刷する分割画像データＤｊｋが、分割前の(元の)画像データＤのどの位置のものであるかを示すデータである。
画像位置データＦは、例えば、分割前の画像データＤにおける分割画像データＤｊｋの位置を示す画像位置座標ｊｋと、画像位置座標を識別する画像位置番号Ｈ(昇順の番号)と、の関係を表す表形式のデータとして構成される。他にも、画像位置データＦは、分割画像データＤｊｋの印刷順序を示す印刷番号を用いて構成し、また画像データＤの縮小画像として構成してもよい。詳細は変形例として後述する。
【００３１】
＜制御部＞
次に、図１に戻りラベル印刷装置１の構成の続きを説明する。制御部１００は、主制御部１２０と、機構制御部１４０とで構成される。主制御部１２０は、ラベル印刷装置１のセットアップを制御し、上位装置２とのデータの送受信の制御し、また印刷動作のメインルーチンとして機能する。図１では、主制御部１２０が実現する機能の内、ラベル印刷装置１の特徴的機能を特に画像データ分割処理部１３０として記載している。
【００３２】
以下では、図３、図４、図５、図６を参照し、画像データ分割処理部１３０について説明する。図３は、第１実施形態に係るラベル印刷装置１のデータ記憶部９０及び主制御部１２０のブロック図である。図４及び図５は、第１実施形態に係るラベル印刷装置１の画像データ分割処理部１３０が行う処理を説明するための図である。図６は、第１実施形態に係るラベル印刷装置１の印刷結果を説明するための図である。
【００３３】
（画像データ分割処理部）
画像分割手段としての画像データ分割処理部１３０は、媒体長方向分割判定部１３２と、媒体長方向分割処理部１３３と、媒体幅方向分割判定部１３４と、媒体幅方向分割処理部１３５と、画像位置データ生成処理部１３６と、印刷ページ生成部１３７とを備えて構成される。
【００３４】
（媒体長方向分割判定部）
媒体長方向分割判定部１３２は、データ記憶部９０に格納される画像データＤ(分割画像データＤｊｋでも可能)の画像データ長ＸがラベルＰｉの媒体長Ｌを超えているか否かを算出し、超えている場合(Ｘ＞Ｌ)に印刷媒体搬送方向に分割(媒体長Ｌによる分割)する必要があると判定する。
【００３５】
図４を参照して説明すると、媒体長方向分割判定部１３２は、画像データＤの画像データ長ＸがラベルＰｉの媒体長Ｌを超えていることを算出し、印刷媒体搬送方向に分割する必要があると判定する（図４（ａ）参照）。
【００３６】
（媒体長方向分割処理部）
媒体長方向分割処理部１３３は、媒体長方向分割判定部１３２が分割する必要があると判定した場合(Ｘ＞Ｌ)に、ラベルＰｉの媒体長Ｌを基にして画像データＤ(分割画像データＤｊｋでも可能)を印刷媒体搬送方向に分割する。そして、媒体長方向分割処理部１３３は、分割後の分割画像データＤｊｋをデータ記憶部９０に格納する。この場合、１つの画像データＤ(又は、分割画像データＤｊｋ)から、複数の分割画像データＤｊｋが作成されることになる。なお、媒体長方向分割処理部１３３は、分割する必要がないと判定した場合(Ｘ＜Ｌ)には、印刷媒体搬送方向での分割を行わない。
【００３７】
図４を参照して説明すると、媒体長方向分割処理部１３３は、媒体長Ｌを用いて画像データＤを印刷媒体搬送方向に分割する。ここで、画像データＤは、媒体長Ｌが２つ分のサイズに収まる（図４（ｂ）参照）。そのため、媒体長方向分割処理部１３３は、画像データＤを、画像データＤの下部分の分割画像データＤＡと、画像データＤの上部分の分割画像データＤＢとに分割し（図４（ｃ）参照）、分割した分割画像データＤＡ及び分割画像データＤＢをデータ記憶部９０に格納する。
【００３８】
（媒体幅方向分割判定部）
媒体幅方向分割判定部１３４は、データ記憶部９０に格納される画像データＤ(分割画像データＤｊｋでも可能)の画像データ幅ＹがラベルＰｉの媒体幅Ｗを超えているか否かを算出し、超えている場合(Ｙ＞Ｗ)に印刷媒体搬送方向に対して垂直方向に分割(媒体幅Ｗによる分割)する必要があると判定する。
【００３９】
図５を参照して説明すると、媒体幅方向分割判定部１３４は、分割画像データＤＡ１や分割画像データＤＢ１の画像データ幅ＹがラベルＰｉの媒体幅Ｗを超えていることを算出し、印刷媒体搬送方向に対して垂直方向に分割する必要があると判定する（図５（ａ）参照）。
【００４０】
（媒体幅方向分割処理部）
媒体幅方向分割処理部１３５は、媒体幅方向分割判定部１３４が分割する必要があると判定した場合(Ｙ＞Ｗ)に、ラベルＰｉの媒体幅Ｗを基にして画像データＤ(分割画像データＤｊｋでも可能)を印刷媒体搬送方向に対して垂直方向に分割する。そして、媒体幅方向分割処理部１３５は、分割後の分割画像データＤｊｋをデータ記憶部９０に格納する。この場合、１つの画像データＤ(又は、分割画像データＤｊｋ)から、複数の分割画像データＤｊｋが作成されることになる。なお、媒体幅方向分割処理部１３５は、分割する必要がないと判定した場合(Ｙ＜Ｗ)には、印刷媒体搬送方向に対して垂直方向での分割を行わない。
【００４１】
図５を参照して説明すると、媒体幅方向分割処理部１３５は、媒体幅Ｗを用いて分割画像データＤＡ，ＤＢを印刷媒体搬送方向に対して垂直方向に分割する。ここで、分割画像データＤＡ，ＤＢは、媒体幅Ｗが２つ分のサイズに収まる（図５（ａ）参照）。そのため、媒体幅方向分割処理部１３５は、下部分の分割画像データＤＡを、画像データＤの左下部分の分割画像データＤＡ１と画像データＤの右下部分の分割画像データＤＡ２とに分割し、また、上部分の分割画像データＤＢを、画像データＤの左上部分の分割画像データＤＢ１と画像データＤの右上部分の分割画像データＤＢ２とに分割する（図５（ｂ）参照）。そして、媒体幅方向分割処理部１３５は、分割した分割画像データＤＡ１，ＤＡ２，ＤＢ１，ＤＢ２を、印刷順にデータ記憶部９０に格納する。
【００４２】
（画像位置データ生成処理部）
画像位置データ生成処理部１３６は、各々のラベルＰｉに印刷する分割画像データＤｊｋが、分割前の(元の)画像データＤのどの位置のものであるかを示す画像位置データＦを作成し、データ記憶部９０に格納する。
画像位置データ生成処理部１３６は、例えば、分割前の画像データＤにおける分割画像データＤｊｋの位置を示す画像位置座標ｊｋと、画像位置座標を識別する画像位置番号Ｈ(昇順の番号)と、の関係を表す表形式のデータとして構成される画像位置データＦを作成し、データ記憶部９０に格納する。
【００４３】
図５を参照して説明すると、画像位置データ生成処理部１３６は、分割画像データＤＡ１の画像データＤにおける画像位置座標ｊｋ「Ａ１」と画像位置座標ｊｋ「Ａ１」を識別する画像位置番号Ｈ「１」との関係、分割画像データＤＡ２の画像データＤにおける画像位置座標ｊｋ「Ａ２」と画像位置座標ｊｋ「Ａ２」を識別する画像位置番号Ｈ「２」との関係、分割画像データＤＢ１の画像データＤにおける画像位置座標ｊｋ「Ｂ１」と画像位置座標ｊｋ「Ｂ１」を識別する画像位置番号Ｈ「３」との関係、分割画像データＤＢ２の画像データＤにおける画像位置座標ｊｋ「Ｂ２」と画像位置座標ｊｋ「Ｂ２」を識別する画像位置番号Ｈ「４」との関係、を表す画像位置データＦを作成し（図５（ｃ）参照）、作成した画像位置データＦをデータ記憶部９０に格納する。
【００４４】
（印刷ページ生成部）
印刷ページ生成部１３７は、データ記憶部９０に格納される画像位置データＦや分割画像データＤｊｋ(画像データＤでも可能)を基にして、印刷媒体としてのラベルＰｉに対応する１ページ分の印刷ページを生成し、生成した１ページ分の印刷ページを機構制御部１４０に受け渡す。印刷ページ生成部１３７が、印刷ページを生成する順番は、画像位置データＦ→分割画像データＤｊｋや、分割画像データＤｊｋ→画像位置データＦ等が考えられる。本実施形態では、画像位置データＦ→分割画像データＤｊｋの順番に印刷ページが生成されることにする。
【００４５】
図５を参照して説明すると、印刷ページ生成部１３７は、最初に画像位置データＦの印刷ページを生成し、次に、画像位置データＦに従い各々の分割画像データＤｊｋの印刷ページを生成する。各々の分割画像データＤｊｋの印刷ページの生成について説明すると、印刷ページ生成部１３７は、例えば、画像位置番号Ｈに従い、１番目に画像位置番号Ｈ「１」で識別される分割画像データＤＡ１の印刷ページを生成し、２番目に画像位置番号Ｈ「２」で識別される分割画像データＤＡ２の印刷ページを生成し、３番目に画像位置番号Ｈ「３」で識別される分割画像データＤＢ１の印刷ページを生成し、４番目に画像位置番号Ｈ「４」で識別される分割画像データＤＢ２の印刷ページを生成する。そして、印刷ページ生成部１３７は、生成した印刷ページを順次、機構制御部１４０に受け渡す。
【００４６】
（機構制御部）
機構制御部１４０は、印刷ページ生成部１３７で生成した画像位置データＦ及び分割画像データＤｊｋ(画像データＤでも可能)の印刷ページを、媒体搬送モータ３０や印字ヘッド７０を制御して、印刷媒体としてのラベルＰｉに印刷(印字)する。
また、機構制御部１４０は、データ記憶部９０に設定される動作モード情報Ｓを参照し、カッタ８０を制御して、印刷媒体としてのラベルＰｉの切り離しを行う。
【００４７】
例えば、機構制御部１４０は、印刷ページ生成部１３７から画像位置データＦ、分割画像データＤＡ１，ＤＡ２，ＤＢ１，ＤＢ２の順に印刷ページを受け取る場合を想定する。
図５に示すように、機構制御部１４０は、最初のラベルＰ０に画像位置データＦの印刷ページを印字ヘッド７０を用いて印刷媒体に印刷させ、次のラベルＰ１に分割画像データＤＡ１の印刷ページを印字ヘッド７０を用いて印刷媒体に印刷させ、次のラベルＰ２に分割画像データＤＡ２の印刷ページを印字ヘッド７０を用いて印刷媒体に印刷させ、次のラベルＰ３に分割画像データＤＢ１の印刷ページを印字ヘッド７０を用いて印刷媒体に印刷させ、次のラベルＰ４に分割画像データＤＢ２の印刷ページを印字ヘッド７０を用いて印刷媒体に印刷させる。そして、機構制御部１４０は、カッタ８０を制御してラベルＰ０〜ラベルＰ４を一まとめとしてロール紙２２から切り離す。
【００４８】
ここで、ラベルＰ０に印刷された画像位置データＦにおける画像位置番号Ｈと、ラベルＰ１〜Ｐ４に印刷された分割画像データＤｊｋの画像位置座標ｊｋとは対応している。また、本実施形態では、画像位置番号Ｈに従い分割画像データＤｊｋの印刷を行った。そのため、画像位置データＦに従って、印刷結果１枚目のラベルＰ１を左下部に配置し、印刷結果２枚目のラベルＰ２を右下部に配置し、印刷結果３枚目のラベルＰ３を左上部に配置し、印刷結果４枚目のラベルＰ４を右上部に配置することで、図６に示すように分割前の画像データＤを復元することができる。
【００４９】
なお、比較例としての従来のラベル印刷装置が印刷媒体に画像データを印刷する処理を図７に示す。従来では、画像データのサイズが印刷媒体としてのラベルのサイズよりも大きい場合でも、ラベル１枚での印字を行っていた。そのため、ラベルに印刷されるのは画像データの一部のみである。
以上で、第１実施形態に係るラベル印刷装置１の構成の説明を終了する。
【００５０】
≪第１実施形態に係るラベル印刷装置の動作≫
＜第１実施形態に係るラベル印刷装置の印刷動作＞
図８Ａ及び図８Ｂを参照して、第１実施形態に係るラベル印刷装置１の印刷動作について説明する。なお、図８Ａ，８Ｂは、第１実施形態に係るラベル印刷装置１の印刷動作を説明するためのフローチャートの例示である。
【００５１】
図８Ａを参照して、最初に画像データ分割処理部１３０は、データ受信部６０を介して上位装置２からジョブデータを受信する（ステップＳ１０）。次に、画像データ分割処理部１３０は、ジョブデータ解釈し、イメージ化(ドットパターン化)された画像データＤに展開し、データ記憶部９０に格納する（ステップＳ２０）。
【００５２】
次に、媒体長方向分割判定部１３２は、データ記憶部９０に設定される媒体長Ｌを用いて画像データＤを分割する必要があるか否か、すなわち、画像データＤの画像データ長Ｘが媒体長Ｌを超えるか否かを判定する（ステップＳ１００）。
ステップＳ１００で画像データＤの画像データ長Ｘが媒体長Ｌを超えると判定した場合(ステップＳ１００“Ｙｅｓ”)に、処理はステップＳ１１０に進む。一方、ステップＳ１００で画像データＤの画像データ長Ｘが媒体長Ｌを超えないと判定した場合(ステップＳ１００“Ｎｏ”)に、処理はステップＳ２００に進む。
【００５３】
ステップＳ１００で“Ｙｓｅ”と判定された場合に、媒体長方向分割処理部１３３は、画像データＤから媒体長Ｌ分の分割画像データＤｊｋを抽出することで画像データＤを分割する（ステップＳ１１０）。次に、媒体長方向分割処理部１３３は、ステップＳ１１０で分割した媒体長Ｌ分の分割画像データＤｊｋをデータ記憶部９０に保存する（ステップＳ１２０）。
【００５４】
次に、媒体長方向分割判定部１３２は、残りの画像データＤの画像データ長Ｘが媒体長Ｌを超えているか否か、すなわち、残りの画像データＤが全て媒体長Ｌに収まるように分割されたか否かを判定する（ステップＳ１３０）。
ステップＳ１３０で残りの画像データＤが全て媒体長Ｌに収まるように分割されたと判定した場合(ステップＳ１３０“Ｙｅｓ”)に、処理はステップＳ２００に進む。一方、ステップＳ１３０で残りの画像データＤが全て媒体長Ｌに収まるように分割されていないと判定した場合(ステップＳ１３０“Ｎｏ”)に、処理はステップＳ１１０に戻り、再度、ステップＳ１１０及びステップＳ１２０の処理を行う。
【００５５】
ステップＳ１００で“Ｎｏ”と判定された場合やステップＳ１３０で“Ｙｅｓ”と判定された場合に、媒体幅方向分割判定部１３４は、データ記憶部９０に設定される媒体幅Ｗを用いて画像データＤ(又は、分割画像データＤｊｋ)を分割する必要があるか否か、すなわち、画像データＤ(又は、分割画像データＤｊｋ)の画像データ幅Ｙが媒体幅Ｗを超えるか否かを判定する（ステップＳ２００）。
ステップＳ２００の処理は、分割を行う必要がないと判定された場合(ステップＳ１００“Ｎｏ”)、及びステップＳ１００で印刷媒体長方向に分割を行う必要があると判定された場合(ステップＳ１００“Ｙｅｓ”)の何れにおいても、ステップＳ２００でデータ記憶部９０に設定される媒体幅Ｗを用いて画像データＤ(又は、分割画像データＤｊｋ)を分割する必要があるか否の判定を行う。
【００５６】
ステップＳ２００で画像データＤ(又は、分割画像データＤｊｋ) の画像データ幅Ｙが媒体幅Ｗを超えると判定した場合(ステップＳ２００で“Ｙｅｓ”)に、処理はステップＳ２１０に進む。一方、ステップＳ２００で画像データＤ(又は、分割画像データＤｊｋ) の画像データ幅Ｙが媒体幅Ｗを超えないと判定した場合(ステップＳ２００で“Ｎｏ”)に、処理はステップＳ３００に進む。
【００５７】
ステップＳ２００で“Ｙｅｓ”と判定された場合に、媒体幅方向分割処理部１３５は、画像データＤ(又は、分割画像データＤｊｋ)から媒体幅Ｗ分の新たな分割画像データＤｊｋを抽出することで画像データＤ(又は、分割画像データＤｊｋ)をさらに分割する（ステップＳ２１０）。次に、媒体幅方向分割処理部１３５は、ステップＳ２１０で分割した媒体幅Ｗ分の分割画像データＤｊｋをデータ記憶部９０に保存する（ステップＳ２２０）。
【００５８】
次に、媒体幅方向分割判定部１３４は、残りの画像データＤ(又は、分割画像データＤｊｋ)の画像データ幅Ｙが媒体幅Ｗを超えているか否か、すなわち、残りの画像データＤ(又は、分割画像データＤｊｋ)が全て媒体幅Ｗに収まるように分割されたか否かを判定する（ステップＳ２３０）。
ステップＳ２３０で残りの画像データＤ(又は、分割画像データＤｊｋ)が全て媒体幅Ｗに収まるように分割されたと判定した場合(ステップＳ２３０“Ｙｅｓ”)に、処理はステップＳ２４０に進む。一方、ステップＳ２３０で残りの画像データＤ(又は、分割画像データＤｊｋ)が全て媒体幅Ｗに収まるように分割されていないと判定した場合(ステップＳ２３０“Ｎｏ”)に、処理はステップＳ２１０に戻り、再度、ステップＳ２１０及びステップＳ２２０の処理を行う。
【００５９】
ステップＳ２４０で“Ｎｏ”と判定された場合に、媒体幅方向分割処理部１３５は、ステップＳ１２０でデータ記憶部９０に保存された次の分割画像データＤｊｋを取得する（ステップＳ２５０）。そして、処理はステップＳ２１０に戻る。
すなわち、ステップＳ１２０で画像データＤが媒体長Ｌで分割された場合は、媒体長Ｌで分割された分割画像データＤｊｋの数だけ媒体幅Ｗに基づく分割を行うため、次の分割画像データＤｊｋをデータ記憶部９０から取得し、ステップＳ２１０〜ステップＳ２３０の処理を行う。
【００６０】
次に、図８Ｂを参照して、ステップＳ２００で“Ｎｏ”と判定された場合やステップＳ２４０で“Ｙｅｓ”と判定された場合に、画像位置データ生成処理部１３６は、印刷媒体長方向又は印刷媒体幅方向に分割処理を行ったか否かを判定する（ステップＳ３００）。
ステップＳ３００で印刷媒体長方向又は印刷媒体幅方向に分割処理を行ったと判定した場合(ステップＳ２００“Ｙｅｓ”)に、処理はステップＳ３１０に進む。一方、ステップＳ３００で印刷媒体長方向又は印刷媒体幅方向に分割処理を行っていないと判定した場合(ステップＳ２００“Ｎｏ”)に、処理はステップＳ３６０に進む。
【００６１】
ステップＳ３００で“Ｙｅｓ”と判定された場合に、画像位置データ生成処理部１３６は、各々のラベルＰｉに印刷する分割画像データＤｊｋが、分割前の(元の)画像データＤのどの位置のものであるかを表す画像位置データＦを生成する（ステップＳ３１０）。次に、画像位置データ生成処理部１３６は、ステップＳ３１０で生成した画像位置データＦをデータ記憶部９０に保存する（ステップＳ３２０）。次に、機構制御部１４０は、分割画像データＤｊｋを印刷する前に、画像位置データＦの画像（印刷ページ）を印刷媒体としてのラベルＰｉに印刷する（ステップＳ３３０）。
【００６２】
次に、機構制御部１４０は、画像位置データＦに従い、分割画像データＤｊｋを１枚分印刷する（ステップＳ３４０）。次に、機構制御部１４０は、保存した分割画像データＤｊｋを全て印刷したか否かを判定する（ステップＳ３５０）。
次に、ステップＳ３５０で保存した分割画像データＤｊｋを全て印刷していないと判定した場合(ステップＳ３５０“Ｎｏ”)に、処理はステップＳ３４０に戻り、ステップＳ３５０で次の分割画像データＤｊｋの画像を印刷する。一方、ステップＳ３５０で保存した分割画像データＤｊｋの画像を全て印刷したと判定した場合(ステップＳ３５０“Ｙｅｓ”)に、データ記憶部９０に保存されている分割画像データＤｊｋは全て印刷されたので、処理は終了する。
【００６３】
ステップＳ３００で“Ｎｏ”と判定された場合に、分割を行っていない画像データＤの印刷を行う（ステップＳ３６０）。そして、ステップＳ３６０の印刷が終わると、処理は終了する。
以上で、第１実施形態に係るラベル印刷装置１の印刷動作の説明を終了する。
【００６４】
以上のように、第１実施形態に係るラベル印刷装置１は、画像データＤのサイズが印刷媒体としてのラベルＰｉのサイズを超えている場合に、印刷媒体長としての媒体長Ｌ及び印刷媒体幅としての媒体幅Ｗを基に画像データＤを分割画像データＤｊｋに分割して印刷を行う。そのため、第１実施形態に係るラベル印刷装置１によれば、分割画像データＤｊｋが複数の印刷媒体としてのラベルＰｉに印刷されるので、印刷媒体のサイズを超えたサイズの画像データＤを印刷することができる。なお、第１実施形態に係るラベル印刷装置１は、画像位置データＦを印刷するため、分割画像データＤｊｋが印刷されたラベルＰｉを並べることが可能である。
【００６５】
これにより、第１実施形態に係るラベル印刷装置１は、印刷画像サイズが、ラベルサイズよりも大きな場合に、印刷画像がラベルからはみ出してしまうことがない。また、大きいサイズに比べて、小さいサイズのラベルを使用する頻度が少ない場合に、余っている小さいサイズのラベルを有効に利用することが可能になる。
【００６６】
また、従来のラベル印刷装置において、印刷画像を縮小して、縮小画像をラベルに印刷することが考えられるが、印刷装置が実際に使用したいサイズのラベルよりも小さいサイズのラベルしか備えていない場合(例えば、実際に使用したいサイズのラベル自体が市場に無い場合や実際に使用したいサイズのラベルのコストが高い理由で備えていない等)がある。その場合には、印刷画像を縮小して、縮小画像をラベルに印刷したとしても、縮小画像がラベルからはみ出してしまう問題点が同様にあるが、第１実施形態に係るラベル印刷装置１は、この問題点についても解消することができる。
【００６７】
[第２実施形態]
第１実施形態に係るラベル印刷装置１は、形状が長方形(四隅が直角)のラベルＰｉに画像データＤを分割した分割画像データＤｊｋの画像を印刷する場合を想定していた。そのため、第１実施形態に係るラベル印刷装置１を用いて形状が長方形以外のラベル(例えば、四隅が直角ではなく、角が丸くなっているラベル)に画像データＤを分割した分割画像データＤｊｋの画像を印刷すると、図９に示すように、印刷結果を並べた場合に印刷媒体としてのラベルの角丸部が合わさる部分の印刷が欠けてしまう。
これに対して、第２実施形態に係るラベル印刷装置１ａは、四隅が角丸となっている印刷媒体としてのラベルに対して画像データＤを分割して印刷しても、印刷結果を並べた場合に印刷媒体としてのラベルの角丸部が合わさる部分の印刷が欠けることがない。
【００６８】
≪第２実施形態に係るラベル印刷装置の構成≫
図１０を参照して、第２実施形態に係るラベル印刷装置１ａの構成を説明する。図１０は、第２実施形態に係るラベル印刷装置１ａの概略構成図である。
第１実施形態に係るラベル印刷装置１と、第２実施形態に係るラベル印刷装置１ａとの構成の違いは、媒体格納部２０に格納される印刷媒体の形状と、主制御部１２０ａと、データ記憶部９０ａである。
以下では、第２実施形態に係るラベル印刷装置１ａの構成の内、第１実施形態から変更されている機能のみを説明し、同様の構成については同一の符号を付して説明を省略する。
【００６９】
＜媒体格納部＞
媒体格納部２０は、ラベル印刷装置１ａが印刷(印字を含む)を行う印刷媒体が格納される。ここで、図１１を参照して、第２実施形態に係るラベル印刷装置１ａが印刷を行う印刷媒体としてのラベルＱｉについて説明する。図１１は、非連続紙として構成されるラベルＱｉを説明するための図である。なお、ラベルＱｉは、連続紙として構成することも可能である。
【００７０】
印刷媒体としてのラベルＱｉ(「ｉ」はラベルを識別する番号(例えば、ｉ＝０，１，２，・・である)は、台紙２１に印刷媒体搬送方向に対して間隔Ｍ(以下、「ラベル間隔Ｍ」)で貼付されている。以下では、ラベルＱｉの搬送方向に対するラベルＱｉの寸法を長さＬ(以下、「媒体長Ｌ」)とし、搬送方向に対して垂直方向の寸法を幅Ｗ(以下、「媒体幅Ｗ」)とする。ここで、ラベルＱｉの媒体長Ｌは、ラベルＱｉの印刷媒体搬送方向の角丸部分の長さである角丸長Ｌ１及び角丸長Ｌ３と、角丸部分以外の長さである印刷長Ｌ２とを加算した長さである。すなわち、印刷長Ｌ２は、媒体長Ｌから角丸長Ｌ１及び角丸長Ｌ３を除いた部分の長さとなる。
【００７１】
ラベルＱｉが台紙２１に貼付され、ロール状に巻回されたものをロール紙２２ａと呼ぶ。印刷媒体としてのラベルＱｉは、ロール紙２２ａの状態で媒体格納部２０に格納される。なお、本実施形態では、１つのロール紙２２ａに貼付された全てのラベルＱｉのサイズ(媒体長Ｌ(角丸長Ｌ１，Ｌ３及び印刷長Ｌ２)や媒体幅Ｗ)は、同じである。また、ラベルＱｉにおける角丸長Ｌ１と角丸長Ｌ３とは同じ長さである。
【００７２】
＜データ記憶部＞
以下では、図１２を参照し、データ記憶部９０ａが格納する情報について説明する。図１２は、第２実施形態に係るラベル印刷装置１ａのデータ記憶部９０ａ及び主制御部１２０ａのブロック図である。
データ記憶部９０ａは、第１実施形態に係るデータ記憶部９０が保有する情報に加えて、さらに媒体の角丸長Ｌ１，Ｌ３と、印刷長Ｌ２とが格納される。
【００７３】
（角丸長、印刷長）
角丸長Ｌ１，Ｌ３は、前記した通り、ラベル印刷装置１ａで用いる印刷媒体としてのラベルＱｉの印刷媒体搬送方向の角丸部分の長さである。角丸長Ｌ１，Ｌ３は、操作パネル１０を介して入力される情報や、媒体センサ４０で検出したラベルＱｉの情報を基にして算出される。
印刷長Ｌ２は、前記した通り、ラベル印刷装置１ａで用いる印刷媒体としてのラベルＱｉの印刷媒体搬送方法の角丸部分以外の長さである。印刷長Ｌ２は、操作パネル１０を介して入力される情報や、媒体センサ４０で検出したラベルＱｉの情報を基にして算出される。
【００７４】
＜主制御部＞
主制御部１２０ａは、画像データ分割処理部１３０ａを備えて構成される。
以下では、図１２、図１３、図１４、図１５を参照し、画像データ分割処理部１３０ａについて説明する。図１２は、第２実施形態に係るラベル印刷装置１ａのデータ記憶部９０ａ及び主制御部１２０ａのブロック図である。図１３及び図１４は、第２実施形態に係るラベル印刷装置１ａの画像データ分割処理部１３０ａが行う処理を説明するための図である。図１５は、第２実施形態に係るラベル印刷装置１ａの印刷結果を説明するための図である。
【００７５】
図１２を参照し、画像データ分割処理部１３０ａは、第１実施形態に係る画像データ分割処理部１３０が備える機能に加えて印刷長算出部１３１を有し、画像データ分割処理部１３０に代えて媒体長方向分割判定部１３２ａと、媒体長方向分割処理部１３３ａと、印刷ページ生成部１３７ａとを備える。
【００７６】
（印刷長算出部）
印刷長算出部１３１は、データ記憶部９０ａに格納されるラベルＱｉの角丸長Ｌ１，Ｌ３、及び媒体長Ｌを基に、印刷長Ｌ２を算出する。例えば、印刷長算出部１３１は、Ｌ２＝Ｌ−（Ｌ１＋Ｌ３）の計算を行う。そして、印刷長算出部１３１は、計算した印刷長Ｌ２をデータ記憶部９０ａに格納する。
【００７７】
（媒体長方向分割判定部）
媒体長方向分割判定部１３２ａは、データ記憶部９０ａに格納される画像データＤ(分割画像データＤｊｋでも可能)の画像データ長ＸがラベルＱｉの印刷長Ｌ２を超えているか否かを算出し、超えている場合(Ｘ＞Ｌ２)に印刷媒体搬送方向に分割する必要があると判定する。
【００７８】
図１３を参照して説明すると、媒体長方向分割判定部１３２ａは、画像データＤの画像データ長ＸがラベルＱｉの印刷長Ｌ２を超えていることを算出し、印刷媒体搬送方向に分割する必要があると判定する（図１３（ａ）参照）。
【００７９】
（媒体長方向分割処理部）
媒体長方向分割処理部１３３ａは、媒体長方向分割判定部１３２ａが分割する必要があると判定した場合(Ｘ＞Ｌ２)に、ラベルＱｉの印刷長Ｌ２を基にして画像データＤ(分割画像データＤｊｋでも可能)を印刷媒体搬送方向に分割する。そして、媒体長方向分割処理部１３３ａは、分割後の分割画像データＤｊｋをデータ記憶部９０ａに格納する。この場合、１つの画像データＤ(又は、分割画像データＤｊｋ)から、複数の分割画像データＤｊｋが作成されることになる。
【００８０】
図１３を参照して説明すると、媒体長方向分割処理部１３３ａは、印刷長Ｌ２を用いて画像データＤを印刷媒体搬送方向に分割する。ここで、画像データＤは、印刷長Ｌ２が２つ分のサイズに収まる（図１３（ｂ）参照）。そのため、媒体長方向分割処理部１３３ａは、画像データＤを、画像データＤの下部分の分割画像データＤＡと、画像データＤの上部分の分割画像データＤＢとに分割し（図１３（ｃ）参照）、分割した分割画像データＤＡ及び分割画像データＤＢをデータ記憶部９０ａに格納する。
【００８１】
図１４（ａ），（ｂ），（ｃ）の処理は、第１実施形態に係る媒体幅方向分割判定部１３４、媒体幅方向分割処理部１３５、画像位置データ生成処理部１３６で説明した処理と同様なので、説明を省略する。
【００８２】
（印刷ページ生成部）
印刷ページ生成部１３７ａは、第１実施形態で説明した印刷ページ生成部１３７の機能に加えて、分割画像データＤｊｋに、切り取り線２４(図１５参照)及び画像位置番号Ｈを角丸部分(印刷長Ｌ２以外の部分)に付加し(図１５参照)、１ページ分の印刷ページを生成する。
以上で、第２実施形態に係るラベル印刷装置１ａの説明を終了する。
【００８３】
≪第２実施形態に係るラベル印刷装置の動作≫
＜第２実施形態に係るラベル印刷装置の印刷動作＞
図１６Ａ及び図１６Ｂを参照して、第２実施形態に係るラベル印刷装置１ａの印刷動作について説明する。なお、図１６Ａ及び図１６Ｂは、第２実施形態に係るラベル印刷装置１ａの印刷動作を説明するためのフローチャートの例示である。
以下では、第２実施形態に係るラベル印刷装置１ａの印刷動作(ステップ)の内、第１実施形態に係るラベル印刷装置１の印刷動作(ステップ)と処理が変更されているステップのみを説明し、同様の処理については同一ステップ番号を付して説明を省略する。
【００８４】
最初に図１６Ａを参照し、ステップＳ１０〜ステップＳ２５０の処理を説明する。
ステップＳ１０〜ステップＳ２０の処理は、第１実施形態と同様である。
ステップＳ２０に続いて、印刷長算出部１３１は、データ記憶部９０ａに保持されている角丸長Ｌ１，Ｌ３を基に、実際にラベルＱｉ上に印刷を行う長さである印刷長Ｌ２を算出する（ステップＳ３０）。印刷長算出部１３１は、算出した印刷長Ｌ２をデータ記憶部９０ａに保存する。
【００８５】
次に、媒体長方向分割判定部１３２ａは、データ記憶部９０ａに設定される印刷長Ｌ２を用いて画像データＤを分割する必要があるか否か、すなわち、画像データＤの画像データ長Ｘが印刷長Ｌ２を超えるか否かを判定する（ステップＳ１００ａ）。
ステップＳ１００ａで画像データＤの画像データ長Ｘが印刷長Ｌ２を超えると判定した場合(ステップｓ１００ａ“Ｙｅｓ”)に、処理はステップＳ１１０ａに進む。一方、ステップＳ１００ａで画像データＤの画像データ長Ｘが印刷長Ｌ２を超えないと判定した場合(ステップＳ１００ａ“Ｎｏ”)に、処理はステップＳ２００に進む。
【００８６】
ステップＳ１００ａで“Ｙｅｓ”と判定された場合に、媒体長方向分割処理部１３３ａは、画像データから印刷長Ｌ２分の分割画像データＤｊｋを抽出することで画像データＤを分割する(ステップＳ１１０ａ)。次に、媒体長方向分割処理部１３３ａは、ステップＳ１１０ａで分割した印刷長Ｌ２分の分割画像データＤｊｋをデータ記憶部９０に保存する(ステップＳ１２０ａ)。
【００８７】
次に、媒体長方向分割判定部１３２ａは、残りの画像データＤの画像データ長Ｘが印刷長Ｌ２を超えているか否か、すなわち、残りの画像データＤが全て印刷長Ｌ２に収まるように分割されたか否かを判定する（ステップＳ１３０ａ）。
ステップＳ１３０ａで残りの画像データＤが全て印刷長Ｌ２に収まるように分割されたと判定した場合(ステップＳ１３０ａ“Ｙｅｓ”)に、処理はステップＳ２００に進む。一方、ステップＳ１３０で残りの画像データＤが全て印刷長Ｌ２に収まるように分割されていないと判定した場合(ステップＳ１３０ａ“Ｎｏ”)に、処理はステップＳ１１０ａに戻り、再度、ステップＳ１１０ａ及びステップＳ１２０ａの処理を行う。
【００８８】
ステップＳ１００ａで“Ｎｏ”と判定された場合やステップＳ１３０ａで“Ｙｅｓ”と判定された場合に、ステップＳ２００〜ステップＳ２５０の処理を行う。ステップＳ２００〜ステップＳ２５０の処理は、第１実施形態と同様なので説明を省略する。
【００８９】
次に、図１６Ｂを参照し、ステップＳ３００〜ステップＳ３６０の処理を説明する。
ステップＳ３００〜ステップＳ３３０の処理は、第１実施形態と同様である。
ステップＳ３３０に続いて、印刷ページ生成部１３７ａは、データ記憶部９０ａから１枚分(分割した内の１つ)の分割画像データＤｊｋを取得する（ステップＳ３３３）。次に、印刷ページ生成部１３７ａは、分割画像データＤｊｋに、切り取り線２４及び画像位置番号Ｈを付加し、１ページ分の印刷ページを生成する（ステップＳ３３６）。
ステップＳ３４０〜ステップＳ３６０の処理は、第１実施形態と同様である。
以上で、第２実施形態に係るラベル印刷装置１ａの印刷動作の説明を終了する。
【００９０】
以上のように、第２実施形態に係るラベル印刷装置１ａは、四隅が角丸となっている印刷媒体としてのラベルＱｉに対して画像データＤを分割して印刷する場合に、印刷長Ｌ２を算出して、印刷長Ｌ２を基に画像データＤを分割画像データＤｊｋに分割して印刷を行う。そのため、第２実施形態に係るラベル印刷装置１ａによれば、画像データＤを分割画像データＤｊｋが印刷された印刷結果を並べた場合に、画像データＤを欠けることなく印刷することができる。
【００９１】
[変形例]
以上、本発明の実施形態について説明したが、本発明はこれに限定されるものではなく、その趣旨を変えない範囲で実施することができる。実施形態の変形例を以下に示す。
【００９２】
（画像位置データ）
第１実施形態及び第２実施形態では、画像位置データＦが、分割前の画像データＤにおける分割画像データＤｊｋの位置を示す画像位置座標ｊｋと、画像位置座標を識別する画像位置番号Ｈ(昇順の番号)と、の関係を表す表形式のデータとして構成されていた。その他にも、画像位置データＦが、分割前の画像データＤにおける分割画像データＤｊｋの位置を示す画像位置座標ｊｋと、分割画像データＤｊｋの印刷順序を示す印刷番号と、の関係を表す表形式のデータとして構成されていてもよい。
【００９３】
また、画像位置データＦが、分割前の画像データＤにおける分割画像データＤｊｋの位置を示す画像位置座標ｊｋとして単に構成し、図１７（ｂ）に示すように、ラベルＱｉに画像位置座標ｊｋを印刷してもよい。
さらに、画像位置データＦが、画像データＤの画像（原寸画像）を縮小した縮小画像のデータとして構成されてもよい。
【００９４】
（動作モード情報）
第１実施形態及び第２実施形態では、動作モード情報Ｓが、画像データＤを表す複数の分割画像データＤｊｋ単位でラベルＰｉの切り離しを行うことを表すことを想定していたが、分割画像データＤｊｋ単位でラベルＰｉの切り離しを行うことを表してもよい。その場合、機構制御部１４０は、カッタ８０を制御してラベルＰｉ，Ｑｉを分割画像データＤｊｋ単位でロール紙２２から切り離す。
【００９５】
特に、第２実施形態では、図１５に示すように、ラベルＱｉに画像位置番号Ｈが印刷されるので、分割画像データＤｊｋ単位でロール紙２２ａから切り離されることで、ラベルＱｉがばらばらな状態になっても、ラベルＱｉに画像位置番号Ｈに基づいてラベルＱｉを並べなおすことができる。
また、第２実施形態においては、図１７に示すように、ラベルＱｉの画像位置座標ｊｋを印刷していない側の切り取り線２４に沿って切り離すようにしてもよい。
【００９６】
（角丸長）
第２実施形態では、ラベルＱｉにおける印刷媒体方向の両端の角丸長Ｌ１，Ｌ３を同じ長さとしていたが、Ｌ１とＬ３とを違う長さにしてもよい。その場合でも、各端の角丸長Ｌ１，Ｌ３をデータ記憶部９０ａに保存することにより、印刷長Ｌ２を算出することができる。
【００９７】
（ラベル）
第２実施形態では、四つ角が丸い印刷媒体としてのラベルＱｉを対象としていたが、図１８に示すような媒体に対しても、媒体幅Ｗで分割できる区間(媒体幅Ｗを２辺とする長方形)があれば、ラベルとして用いることができる。
【００９８】
また、第１実施形態及び第２実施形態では、印刷媒体として非連続紙で構成されるラベルＰｉ，Ｑｉを対象としていたが、図１９に示すような連続紙で構成されるラベルＰを用いることができる。その場合、媒体長Ｌは、任意の長さに設定し、又は、台紙２１の裏に印刷されるマークを用いて一定の長さに設定する。
【００９９】
（分割処理）
第１実施形態及び第２実施形態では、ラベル印刷装置１，１ａで画像データＤを分割していたが、上位装置２が備えるプリンタドライバ（ラベル印刷プログラム）で分割処理、及び画像位置データの生成を行うようにしてもよい。
例えば、上位装置２のディスプレイにラベルのサイズを設定する画面(設定手段)を表示してラベルのサイズを受け付け、設定されたラベルサイズよりも入力画像が大きいときに入力画像を複数に分割することを設定する画面(画像分割手段)を表示して分割数を受け付け、設定された分割数に基づいて入力画像を分割した後の分割画像を生成し、画像位置データの画像、及び分割画像を用いて、汎用プリンタ（画像形成装置）に印刷の指示を行うようにする。
【０１００】
また、汎用プリンタを用いる場合は、定型サイズ（Ａ４サイズ等）の台紙に複数のラベルが貼付されたラベル用紙や、定型サイズの台紙の全面にラベルが貼付された複数のノーカット用紙に分割画像を印刷することもできる。複数のラベルが貼付されたラベル用紙に印刷するときは、何れかの一枚のラベルに画像位置データの画像を印刷し、その他の複数のラベルに分割画像を印刷することになる。また、定型サイズのノーカット用紙に印刷するときは、最初の１ページ目に画像位置データの画像を印刷し、次ページ以降に分割画像を印刷することになる。
また、プリンタドライバは、印刷用紙を措定する印刷サイズ指定画面を表示するときに、ラベル用紙のラベルサイズやラベル位置を示す情報を入力する画面も表示する設定手段としての機能を有することが好ましい。
また、画像位置データの画像は、最初の１ページ目に印刷するだけではなく、各々の分割画像を印刷した後の最終ページに印刷させてもよい。
【符号の説明】
【０１０１】
１，１ａ  ラベル印刷装置
２      上位装置（演算装置）
１０    操作パネル部（設定手段）
２０    媒体格納部
２１    台紙
２２    ロール紙（ラベル用紙）
３０    媒体搬送モータ
４０    媒体センサ（設定手段）
５０    検出回路部（設定手段）
６０    データ受信部
７０    印字ヘッド（印刷手段）
８０    カッタ
９０，９０ａ  データ記憶部
１００  制御部
１２０，１２０ａ  主制御部
１３０，１３０ａ  画像データ分割処理部（画像分割手段）
１３１  印刷長算出部
１３２，１３２ａ  媒体長方向分割判定部
１３３，１３３ａ  媒体長方向分割処理部
１３４  媒体幅方向分割判定部
１３５  媒体幅方向分割処理部
１３６  画像位置データ生成処理部
１３７，１３７ａ  印刷ページ生成部
１４０  機構制御部
Ｐｉ，Ｑｉ，Ｓｉ，Ｔｉ，Ｐ  ラベル（印刷媒体）
Ｌ      媒体長
Ｌ１，Ｌ３  角丸長
Ｌ２    印刷長
Ｗ      媒体幅
Ｄ      (印刷)画像データ
Ｄｊｋ  分割画像データ
ｊｋ（Ａ，Ａ１，Ａ２，Ｂ，Ｂ１，Ｂ２）  画像位置座標
Ｘ      画像データ長
Ｙ      画像データ幅
Ｆ      画像位置データ
Ｈ（１，２，３，４）  画像位置番号
【図１】
2013129103.tif 000003
【図２】
2013129103.tif 000004
【図３】
2013129103.tif 000005
【図４】
2013129103.tif 000006
【図５】
2013129103.tif 000007
【図６】
2013129103.tif 000008
【図７】
2013129103.tif 000009
【図８Ａ】
2013129103.tif 000010
【図８Ｂ】
2013129103.tif 000011
【図９】
2013129103.tif 000012
【図１０】
2013129103.tif 000013
【図１１】
2013129103.tif 000014
【図１２】
2013129103.tif 000015
【図１３】
2013129103.tif 000016
【図１４】
2013129103.tif 000017
【図１５】
2013129103.tif 000018
【図１６Ａ】
2013129103.tif 000019
【図１６Ｂ】
2013129103.tif 000020
【図１７】
2013129103.tif 000021
【図１８】
2013129103.tif 000022
【図１９】
2013129103.tif 000023